(57)【要約】      （修正有）【課題】洗浄が容易なトンネル式冷却装置を提供する。【解決手段】搬入口及び搬出口を備えた断熱箱体内に、被冷却物を搬入口から搬出口へ搬送するコンベヤ１８が設けられている。コンベヤに対向して冷却器３１が配置され、冷却器とコンベヤとの間に冷却ファン３５が配置されている。冷却ファンは冷却ファンと冷却器との間の冷却空気をコンベヤに向かって送り出す。断熱箱体は、下ハーフ１０ｂと、昇降可能な上ハーフ１０ａとに二分割されている。上ハーフを上昇させると、下ハーフと上ハーフとの間に、冷却器及び冷却ファンを含む冷却ユニット３０が水平方向に露出する。【選択図】図４
2014211259.tif 000002
【特許請求の範囲】
【請求項１】
被冷却物が搬入される搬入口、及び、前記被冷却物が搬出される搬出口を備えた断熱箱体と、
前記断熱箱体内において前記被冷却物を前記搬入口から前記搬出口へ搬送するコンベヤと、
前記コンベヤに対向して配された冷却器、及び、前記冷却器と前記コンベヤとの間に配された冷却ファンを備えた冷却ユニットとを備え、
前記冷却ファンが前記冷却ファンと前記冷却器との間の冷却空気を前記コンベヤに向かって送り出すトンネル式冷却装置であって、
前記断熱箱体は、下ハーフと、昇降可能な上ハーフとに二分割されており、
前記上ハーフを上昇させると、前記下ハーフと前記上ハーフとの間に、前記冷却ユニットが水平方向に露出することを特徴とするトンネル式冷却装置。
【請求項２】
前記冷却ユニットは、前記コンベヤの側からの環流空気の少なくとも一部が、前記冷却器を通過することなく前記冷却ファンによって前記コンベヤに向かって送り出されるように構成されている請求項１に記載のトンネル式冷却装置。
【請求項３】
前記下ハーフと前記上ハーフとの間にシールを備え、
前記シールは、水平方向に対して傾斜した傾斜板を含み、
前記シールは、前記下ハーフ及び前記上ハーフのうちの一方に固定され、前記傾斜板の一方の側端縁は、前記上ハーフが下降したとき前記下ハーフ及び前記上ハーフのうちの他方に当接する請求項１又は２に記載のトンネル式冷却装置。
【請求項４】
前記シールが、互いに離間して配された複数の前記傾斜板を含み、前記上ハーフが下降したとき前記複数の傾斜板の間に密閉空間が形成される請求項３に記載のトンネル式冷却装置。
【請求項５】
前記シールが略「Ｖ」字状断面を有する請求項３又は４に記載のトンネル式冷却装置。
【請求項６】
前記断熱箱体内の前記搬入口及び前記搬出口の近傍に、前記冷却ユニットが配された冷却室と隔壁で隔てられた断熱室をそれぞれ備え、
前記断熱室内に、空気を前記コンベヤに向かって吹き付ける攪拌ファンが配されている請求項１〜５のいずれかに記載のトンネル式冷却装置。
【請求項７】
前記上ハーフを昇降させるための複数のアクチュエータと、
昇降する前記上ハーフを案内する、上下方向に延びた複数の案内機構とを備え、
前記複数のアクチュエータは互いに同期しながら前記上ハーフを昇降させる請求項１〜６のいずれかに記載のトンネル式冷却装置。
【請求項８】
前記複数のアクチュエータのそれぞれは、前記上ハーフ及び前記下ハーフのうちの少なくとも一方に対して遊びを設けて取り付けられている請求項７に記載のトンネル式冷却装置。
【請求項９】
前記断熱箱体内に、前記コンベヤの側からの環流空気が前記冷却器を通過し前記コンベヤの側に送り出されるように空気を循環させるためのダクトを備えない請求項１〜８のいずれかに記載のトンネル式冷却装置。
【発明の詳細な説明】
【技術分野】
【０００１】
本発明は、食品等の被冷却物を冷却させるトンネル式冷却装置に関する。
【背景技術】
【０００２】
食品等の大量の被冷却物を順次冷却（更には冷凍）するためにトンネル式冷却装置が用いられる。このトンネル式冷却装置は、断熱箱体の一方に被冷却物を搬入するための搬入口を備え、他方に冷却された被冷却物を搬出するための搬出口を備える。搬入口と搬出口とはコンベヤでつながれている。被冷却物は、搬入口でコンベヤに載せられ、断熱箱体内を搬送され、搬出口で取り出される。被冷却物は、断熱箱体内を通過する間に冷却される。
【０００３】
このようなトンネル式冷却装置の冷却部は、一般に、冷媒が移動する冷却コイルの外周面に冷却フィンを取り付けた冷却器と、冷却空気をコンベヤ上の被冷却物に向かって送り出すファンとを備えている。
【０００４】
トンネル式冷却装置の冷却方式としては、強制循環方式が一般的である（特許文献１の図１４参照）。強制循環方式では、冷却器で冷却された冷却空気は、ファンを用いて被冷却物である食品に向かって吹き付けられ、食品との間の熱交換によって暖められ且つ水蒸気を含んだ環流空気は必ず冷却器に環流しこれを通過する。環流空気は、冷却器を通過する際に冷却される。従って、環流空気中の水蒸気が冷却器に着霜し、冷却効率が低下するという問題がある。
【０００５】
そこで、被冷却物からの暖められ且つ水蒸気を含んだ環流空気の大半を冷却器を通過させずに、ファンで被冷却物側に送り出すトンネル式冷却装置が提案されている（特許文献１の図９、特許文献２の図１４）。このトンネル式冷却装置の冷却方式は、被冷却物からの環流空気の大半が冷却器を通過（貫流）しないことから「非貫流方式」と呼ばれることがある。非貫流方式では、環流空気のうち冷却器を通過する割合が小さい（または、ほとんどない）ので、冷却器の着霜が飛躍的に低減される。これにより、冷却器の除霜作業が不要又は除霜作業の頻度を少なくすることができる。従って、長時間の連続稼働が可能になり、大量の被冷却物を冷却する際の処理効率を向上させることができる。
【先行技術文献】
【特許文献】
【０００６】
【特許文献１】特許第３３６６９７７号明細書
【特許文献２】特許第３７７１５５６号明細書
【発明の概要】
【発明が解決しようとする課題】
【０００７】
食品の製造分野においては、食品の安全性を高めるために、食品の製造装置を清潔に維持管理することが求められる。食品を冷却するために用いられるトンネル式冷却装置も例外ではなく、その内部を隅々まで清潔に洗浄することができるような構造を有していることが望まれる。
【０００８】
本発明は、洗浄が容易なトンネル式冷却装置を提供することを目的とする。
【課題を解決するための手段】
【０００９】
本発明のトンネル式冷却装置は、被冷却物が搬入される搬入口、及び、前記被冷却物が搬出される搬出口を備えた断熱箱体と、前記断熱箱体内において前記被冷却物を前記搬入口から前記搬出口へ搬送するコンベヤと、前記コンベヤに対向して配された冷却器、及び、前記冷却器と前記コンベヤとの間に配された冷却ファンを備えた冷却ユニットとを備える。前記冷却ファンは前記冷却ファンと前記冷却器との間の冷却空気を前記コンベヤに向かって送り出す。前記断熱箱体は、下ハーフと、昇降可能な上ハーフとに二分割されている。前記上ハーフを上昇させると、前記下ハーフと前記上ハーフとの間に、前記冷却ユニットが水平方向に露出する。
【発明の効果】
【００１０】
本発明によれば、上ハーフを上昇させれば、下ハーフと上ハーフとの間に、冷却ユニットが水平方向に露出する。従って、下ハーフと上ハーフとの間から、断熱箱体の内部を目視しながら隅々まで洗浄することができる。従って、洗浄が容易で、清潔な状態に維持管理することが可能なトンネル式冷却装置を提供できる。
【図面の簡単な説明】
【００１１】
【図１Ａ】図１Ａは、本発明の一実施形態にかかるトンネル式冷却装置の平面図である。
【図１Ｂ】図１Ｂは、図１Ａの１Ｂ−１Ｂ線に沿った本発明の一実施形態にかかるトンネル式冷却装置の矢視断面図である。
【図１Ｃ】図１Ｃは、図１Ａの矢印１Ｃに沿って見た本発明の一実施形態にかかるトンネル式冷却装置の正面図である。
【図２】図２は、本発明の一実施形態にかかるトンネル式冷却装置において、冷却ユニット近傍の空気の流れを示した側面図である。
【図３】図３は、本発明の一実施形態にかかるトンネル式冷却装置において、上ハーフの昇降機構を示した側面図である。
【図４】図４は、上ハーフを上昇させた、本発明の一実施形態にかかるトンネル式冷却装置の側面図である。
【図５Ａ】図５Ａは、図３の５Ａ−５Ａ線に沿った断熱箱体の上ハーフと下ハーフとの間のシールの拡大断面図である。
【図５Ｂ】図５ＢＡは、断熱箱体の上ハーフと下ハーフとの間の、別のシールの拡大断面図である。
【発明を実施するための形態】
【００１２】
上記の本発明のトンネル式冷却装置において、前記冷却ユニットは、前記コンベヤの側からの環流空気の少なくとも一部が、前記冷却器を通過することなく前記冷却ファンによって前記コンベヤに向かって送り出されるように構成されていることが好ましい。これにより、非貫流方式のトンネル式冷却装置を実現できる。これは、冷却器への着霜を低減するのに有利である。また、強制循環方式の冷却装置で一般的な空気を循環させるためのダクトが不要になるので、断熱箱体内部の洗浄性を向上させるのに有利である。
【００１３】
上記の本発明のトンネル式冷却装置が、前記下ハーフと前記上ハーフとの間にシールを備えていてもよい。前記シールは、水平方向に対して傾斜した傾斜板を含んでいてもよい。この場合、前記シールは、前記下ハーフ及び前記上ハーフのうちの一方に固定されることが好ましい。前記傾斜板の一方の側端縁は、前記上ハーフが下降したとき前記下ハーフ及び前記上ハーフのうちの他方に当接することが好ましい。これにより、上ハーフが下降したとき、気密に封止可能なシールを実現することができる。これは、断熱箱体内と外界との間の断熱性の向上に有利である。
【００１４】
上記において、前記シールが、互いに離間して配された複数の前記傾斜板を含み得る。この場合、前記上ハーフが下降したとき前記複数の傾斜板の間に密閉空間が形成されることが好ましい。これは、断熱箱体内と外界との間の断熱性のさらなる向上に有利である。
【００１５】
前記シールが略「Ｖ」字状断面を有していてもよい。これにより、シールを構成する部品の数が少なくなり、シールの構造が簡単化される。これは、シールの組み立て性や洗浄性の向上に有利である。
【００１６】
上記の本発明のトンネル式冷却装置が、前記断熱箱体内の前記搬入口及び前記搬出口の近傍に、前記冷却ユニットが配された冷却室と隔壁で隔てられた断熱室をそれぞれ備えていてもよい。この場合、前記断熱室内に、空気を前記コンベヤに向かって吹き付ける攪拌ファンが配されていることが好ましい。これは、冷却室と断熱箱体の外界との間の断熱性の向上に有利である。
【００１７】
上記の本発明のトンネル式冷却装置が、前記上ハーフを昇降させるための複数のアクチュエータと、昇降する前記上ハーフを案内する、上下方向に延びた複数の案内機構とを備えていてもよい。この場合、前記複数のアクチュエータは互いに同期しながら前記上ハーフを昇降させることが好ましい。これは、上ハーフをズムーズに昇降させるのに有利である。
【００１８】
前記複数のアクチュエータのそれぞれは、前記上ハーフ及び前記下ハーフのうちの少なくとも一方に対して遊びを設けて取り付けられていることが好ましい。これは、上ハーフをズムーズに昇降させるのに更に有利である。
【００１９】
上記の本発明のトンネル式冷却装置が、前記断熱箱体内に、前記コンベヤの側からの環流空気が前記冷却器を通過し前記コンベヤの側に送り出されるように空気を循環させるためのダクトを備えないことが好ましい。これは、断熱箱体内部の洗浄性を向上と、断熱箱体の小型化に有利である。
【００２０】
以下に、本発明をその好適な実施形態を示しながら詳細に説明する。但し、本発明は以下の実施形態に限定されないことはいうまでもない。以下の説明において参照する各図は、説明の便宜上、本発明の実施形態を構成する部材のうち、本発明を説明するために必要な主要部材のみを簡略化して示したものである。従って、本発明は以下の各図に示されていない任意の部材を備え得る。また、以下の各図では、実際の部材の寸法および各部材の寸法比率等は忠実に表されていない。
【００２１】
図１Ａは、本発明の一実施形態にかかるトンネル式冷却装置（以下、「冷却装置」という）１の平面図、図１Ｂは、図１Ａの１Ｂ−１Ｂ線に沿った冷却装置１の矢視断面図、図１Ｃは、図１Ａの矢印１Ｃに沿って見た冷却装置１の正面図である。
【００２２】
本実施形態の冷却装置１は、上ハーフ１０ａと下ハーフ１０ｂとに上下に二分割された断熱箱体１０を備える。詳細な図示を省略するが、上ハーブ１０ａ及び下ハーフ１０ｂは、いずれも強固に組み立てられたフレーム（骨格）に、壁材を固定して構成されている。壁材は、例えば断熱材を内壁板及び外壁板で挟んだ断熱板で構成することができる（後述する図５Ａ参照）。断熱箱体１０の外界及びその内部空間に露出する部材（内壁板、外壁板、フレームなど）は、その表面に防錆処理が施されているか、ステンレス鋼などの防錆性に優れた金属材料からなることが好ましい。
【００２３】
断熱箱体１０の長手方向の一端には搬入口１５が設けられ、他端には搬出口１６が設けられている。図１Ｃに示されているように、搬入口１５は、上ハーフ１０ａと下ハーフ１０ｂとの間の開口であり、本実施形態では下ハーフ１０ｂの上端を切り欠くことにより形成されている。図示を省略するが、搬出口１６も、図１Ｃに示した搬入口１５と同様に、下ハーフ１０ｂの上端を切り欠くことにより上ハーフ１０ａと下ハーフ１０ｂとの間に形成されている。
【００２４】
断熱箱体１０内には、断熱箱体１０の長手方向に沿ってコンベヤ１８が設けられている。コンベヤ１８は、帯状物を環状に接続した部材である。コンベヤ１８の形状は任意であり、例えば厚さ方向に通気性を有するように、多数の貫通孔が形成されたベルトコンベヤ、または、網状のネットコンベヤであってもよく、貫通孔が形成されていない無孔のベルトコンベヤであってもよい。また、コンベヤ１８の材料も、特に制限はないが、洗浄性の観点から、防錆性に優れたテンレス鋼や防錆処理が施された金属材料、あるいは樹脂材料等を用いることが好ましい。コンベヤ１８の上面が水平面と平行になるように、コンベヤ１８は多数の搬送ローラ（図示せず）で支持され、駆動装置（図示せず）によって一定速度で矢印１８ａの向きに駆動される。コンベヤ１８の一端は搬入口１５からわずかに突出し、コンベヤ１８の他端は搬出口１６からわずかに突出している。被冷却物（例えば食品）は、搬入口１５側においてコンベヤ１８上に載置され、コンベヤ１８に載って搬入口１５から断熱箱体１０内に入り、断熱箱体１０内を搬送され、搬出口１８を出た後、コンベヤ１８から取り上げられる。被冷却物は、断熱箱体１０内を通過する過程で冷却される。なお、本発明において、「冷却」とは、被冷却物の温度を下げることを意味し、その凝固点以下に温度を下げる「冷凍」を含む。
【００２５】
断熱箱体１０内の空間は、上ハーフ１０ａ及び下ハーフ１０ｂ内に設けられた第１隔壁２１ａ，２１ｂ及び第２隔壁２２ａ，２２ｂによって、コンベヤ１８の搬送方向において３つの空間に分割されている。３つの空間のうち、第１隔壁２１ａ，２１ｂと第２隔壁２２ａ，２２ｂとの間の空間は冷却室２５であり、搬入口１５と第１隔壁２１ａ，２１ｂとの間の空間は第１断熱室２６ａであり、搬出口１６と第２隔壁２２ａ，２２ｂとの間の空間は第２断熱室２６ｂである。
【００２６】
冷却室２５内には、コンベヤ１８より上側に、コンベヤ１８の搬送方向に沿って３つの冷却ユニット３０が設けられている。各冷却ユニット３０は、コンベヤ１８に対向して配された冷却器３１と、冷却器３１とコンベヤ１８との間に配された５つの冷却ファン３５とを備える。冷却器３１は、冷媒が通過する冷却コイルの外周面に多数の冷却フィンが取り付けられたものである。多数の冷却フィンは互いに平行に且つ一定のピッチで離間して配置されている。冷却フィンの主面（面積が最大である面）は、垂直方向と平行である。冷却器３１の構成は、特に制限はなく、冷却装置や冷凍装置において使用される周知の冷却器を用いることができる。冷却器３１からわずかに離間して、共通する水平面上に５つの冷却ファン３５が配置されている。図１Ａに示されているように、５つの冷却ファン３５は互いに離間し、そのうちの４つは、略矩形の対角位置に配置され、残りの１つは当該略矩形の中心位置に配置されている。
【００２７】
図２は、冷却ユニット３０近傍の空気の流れを示した側面図である。冷却ファン３５は、矢印Ａに示すように、コンベヤ１８に向かって空気を送り出すように回転する。これにより、矢印Ｂに示すように、コンベヤ１８側からの環流空気が冷却ファン３５と冷却器３１との間の隙間に入り込む。即ち、矢印Ａ及び矢印Ｂに沿った空気の循環が生じる。矢印Ｂに沿ったコンベヤ１８側からの環流空気は、被冷却物との熱交換によって暖められ且つ水蒸気を含んでいる。この環流空気が冷却器３１と冷却ファン３５との間の隙間を通過する際に、冷却器３１の近傍の冷却された空気との間で熱交換され冷却される。このようにして冷却された冷却空気が矢印Ａに沿ってコンベヤ１８に向かって送り出される。
【００２８】
このように、本実施形態の冷却ユニット３０は、コンベヤ１８側からの環流空気の大半は、冷却器３１を通過することなく、冷却ファン３５によってコンベヤ１８に向かって送り出されるように構成されている。即ち、本実施形態の冷却ユニット３０を備えた冷却装置１は、特許文献１，２の冷却装置と同様に非貫流方式の冷却装置である。従って、本実施形態の冷却装置１には、強制循環方式のトンネル式冷却装置で一般的な、コンベヤ側からの環流空気が必ず冷却器を通過してコンベヤに向かって送り出されるように空気の循環路を規定するダクト（空気流路）が存在しない。
【００２９】
コンベヤ１８の側からの環流空気の大半は、冷却器３１を通過しない。また、仮にコンベヤ１８の側からの環流空気の一部が冷却器３１を通過することがあっても、そのような環流空気は、冷却器３１内に入る前に冷却器３１の近傍の冷却空気との間の熱交換によって冷却されるので、環流空気中の水蒸気は冷却器３１内に入る前に固化されてしまう。従って、本実施形態の冷却装置１では、冷却器３１の着霜が少ない。このため、冷却器３１の除霜作業が不要または除霜作業の頻度を少なくすることができる。
【００３０】
図１Ａ及び図１Ｂにもどり、第１断熱室２６ａ内には、コンベヤ１８より上側に２つの第１攪拌ファン３７ａが設けられており、同様に、第２断熱室２６ｂ内には、コンベヤ１８より上側に２つの第２攪拌ファン３７ｂが設けられている。第１攪拌ファン３７ａは、コンベヤ１８に向かって空気を吹き付けることにより、冷却室２５と断熱箱体１０外との間での搬入口１５を介した空気の出入りを低減する。同様に、第２攪拌ファン３７ｂは、コンベヤ１８に向かって空気を吹き付けることにより、冷却室２５と断熱箱体１０外との間での搬出口１６を介した空気の出入りを低減する。即ち、第１攪拌ファン３７ａ及び第２攪拌ファン３７ｂは、搬入口１５及び搬出口１６での空気の出入りを遮断して断熱するいわゆるエアカーテンを形成する。例えば、第１及び段２断熱室２６ａ，２６ｂ内に空気の循環流を形成すると、空気の遮断特性を向上させることができる。冷却室２５と断熱箱体１０外との間での空気の遮断特性は、第１及び第２攪拌ファン３７ａ，３７ｂからの空気の吹き出し角度や風速を変えることにより調整することができる。従って、第１及び第２攪拌ファン３７ａ，３７ｂの取り付け角度や回転速度を調整可能に構成されていることが好ましい。第１及び第２攪拌ファン３７ａ，３７ｂの回転速度を任意に調整可能にするために、第１及び第２攪拌ファン３７ａ，３７ｂを駆動するモータ（図示せず）をインバータ制御することができる。
【００３１】
図３は、上ハーフ１０ａを昇降させるための昇降機構５０の側面図である。昇降機構５０は、上ハーフ１０ａを昇降駆動するためのアクチュエータ５１と、上ハーフ１０ａを案内するための案内機構５６とを備える。
【００３２】
本実施形態では、アクチュエータ５１として電動式シリンダアクチュエータを用いている。シリンダ５２ａの基端（下端）が下ハーフ１０ｂに固定され、ピストン５２ｂの先端（上端）が上ハーフ１０ａに固定されている。モータ５４の回転出力を減速歯車機構５３を介してボールネジ機構（図示せず）に伝達することにより、ピストン５２ｂはシリンダ５２ａに対して出入りする。
【００３３】
案内機構５６は、ロッド５７とスライダ５８とを備える。ロッド５７の下端は下ハーフ１０ｂに固定されている。ロッド５７の長手方向は鉛直方向と平行である。スライダ５８は上ハーフ１０ａに固定されている。スライダ５８はロッド５７上を、ロッド５７の長手方向に沿って自由に移動可能である。
【００３４】
本実施形態の昇降機構５０では、上ハーフ１０ａが昇降する際、上ハーフ１０ａの案内は案内機構５６が担う。アクチュエータ５１は上ハーフ１０ａの荷重を支え、上ハーフ１０ａを昇降させるための駆動力を発生するにすぎない。このため、アクチュエータ５１は、上ハーフ１０ａ及び下ハーフ１０ｂのうちの少なくとも一方に対して遊びを設けて取り付けられている。
【００３５】
図１Ａに示されているように、４つの昇降機構５０が、略矩形の平面視形状を有する断熱箱体１０の四隅に１つずつ設けられている。４つのアクチュエータ５１が同期して駆動されるように、各アクチュエータ５１のモータ５４が制御される。
【００３６】
このように、昇降機構５０は、上ハーフ１０ａの昇降駆動を担うアクチュエータ５１と、昇降する上ハーフ１０ａの案内を担う案内機構５６とを備える。アクチュエータ５１と案内機構５６とに別個の機能を分担させることにより、４つの案内機構５６を精度よく上ハーフ１０ａ及び下ハーフ１０ｂに取り付ければ、４つのアクチュエータ５１の取り付け制度を緩和することができる。この構成は、上ハーフ１０ａのスムーズな昇降動作に有利である。
【００３７】
図４は、昇降装置５０を用いて上ハーフ１０ａを最も高くまで上昇させた冷却装置１の側面図である。図４に示すように、上ハーフ１０ａを上昇させると、下ハーフ１０ｂと上ハーフ１０ａとが分離し、下ハーフ１０ｂと上ハーフ１０ａとの間に、冷却器３１、冷却ファン３５、攪拌ファン３７ａ，３７ｂが水平方向に露出する。好ましくは、冷却器３１、冷却ファン３５、攪拌ファン３７ａ，３７ｂよりも上ハーフ１０ａの下端が高くなるように上ハーフ１０ａが上昇する。更に、好ましくは、冷却器３１、冷却ファン３５、攪拌ファン３７ａ，３７ｂは、下ハーフ１０ｂの上端よりも高い位置に配置されている。
【００３８】
冷却装置１の洗浄は、図４に示すように、上ハーフ１０ａを上昇させた状態で行うことができる。洗浄は、上ハーフ１０ａ及び下ハーフ１０ｂの内面、コンベヤ１８、冷却器３１、冷却ファン３５、攪拌ファン３７ａ，３７ｂにホースなどで水をかけながらブラシなどで擦る、いわゆる水洗いをすることができる。上ハーフ１０ａと下ハーフ１０ｂとの間が大きく開口し、その間に冷却器３１、冷却ファン３５、攪拌ファン３７ａ，３７ｂが露出するので、断熱箱体１０の内部を目視しながら隅々まで容易に洗浄することができる。図１Ｃに示されているように、下ハーフ１０ｂの内側底面１０ｃは略「Ｖ」字の断面形状を有するように緩やかに傾斜している。洗浄したときの水は、底面１０ｃの傾斜によって集められ、図示しない排水口から断熱箱体１０外に排出される。
【００３９】
上ハーフ１０ａを上昇させることによって、断熱箱体１０内の冷却器３１、冷却ファン３５、攪拌ファン３７ａ，３７ｂが露出するので、上ハーフ１０ａ及び下ハーフ１０ｂに開閉式の扉を設ける必要がない。このため、冷却装置１を設置する際に、扉を開くための空間を断熱箱体１０の外に確保する必要がない。従って、例えば、建屋の壁に近接して冷却装置１を設置したり、複数の冷却装置１を互いに近接して並列配置したりすることが可能になるので、冷却装置１を設置するために必要なスペースが少なくて済む。また、扉を設けた場合に必要になるシールや、当該シールの洗浄性などを考慮する必要なくなるので、洗浄性が更に向上するとともに、断熱箱体１０の構造を簡単化することができる。
【００４０】
一般的な強制循環方式のトンネル式冷却装置（特許文献１の図１４参照）は、被冷却物からの環流空気が冷却器を確実に通過するようにするために、断熱箱体内に循環空気を循環させるためのダクトが設けられ、当該ダクト内に冷却器が配置されることが多い。このような強制循環方式のトンネル式冷却装置では、たとえ本発明と同様に断熱箱体を上下に二分割可能な上ハーフと下ハーフとで構成し、上ハーフを上昇させたとしても、冷却器はダクト内に配置されたままである。冷却器やダクトの内面を洗浄するためには、更にダクトを分解する必要がある。このため、洗浄前の分解作業や洗浄後の組み立て作業に長時間を要し、冷却装置の稼働率を著しく低下させてしまう。また、断熱箱体内の構造が複雑になるので、細部まで洗浄することが困難であり、細菌の繁殖を完全に防止することができず、冷却装置を常に清潔に維持することができない。本発明は、環流空気を循環させるためのダクトが不要な非貫流方式のトンネル式冷却装置１において、その断熱箱体１０が上下に二分割されるので、上ハーフ１０ａを上昇させるだけで断熱箱体１０内を隅々まで目視しながら洗浄することができる。また、ダクトを備えないので、断熱箱体１０を小さくすることができ、冷却装置１を省スペース化することが可能である。このため、上ハーフ１０ａが昇降するにも関わらず、比較的低い天井高を有する建屋内にも冷却装置１を設置することが可能である。
【００４１】
図５Ａは、上ハーフ１０ａを下降させたときの図３の５Ａ−５Ａ線に沿った上ハーフ１０ａと下ハーフ１０ｂとの間のシール６０の拡大断面図である。図５Ａに示すように、上ハーフ１０ａの下端面１１ａにシール６０がボルト６２を用いて固定されている。シール６０は、水平方向に対して傾斜した２枚の傾斜板６１ａ，６１ｂを備えた略「Ｖ」字状の断面形状を有している。シール６０は、互いに対向する上ハーフ１０ａの下端面１１ａと下ハーフ１０ｂの上端面１１ｂとの間に、搬入口１５及び搬出口１６を除いて連続的に設けられている。図５Ａにおいて、１２は断熱箱体１０を構成するフレーム、１３ａ，１３ｂはフレーム１２に固定された内壁板及び外壁板、１４は内壁板１３ａと外壁板１３ｂとの間の断熱材である。
【００４２】
上ハーフ１０ａを下降させたとき、傾斜板６１ａ，６１ｂの下側の側端縁が下ハーフ１０ｂの上端面１１ｂに押し当てられ、傾斜板６１ａ，６１ｂは弾性的にわずかに曲げ変形される。このとき、シール６０と下ハーフ１０ｂの上端面１１ｂとで囲まれた密閉空間６３が形成される。従って、断熱箱体１０の内側空間１０ｉと外界１０ｅとは、密閉空間６３内の空気層で隔てられる。これにより、上ハーフ１０ａを下降させたときのシール６０の断熱性は良好である。
【００４３】
シール６０は、一定幅を有する金属製板材を略「Ｖ」字状の断面形状を有するように折り曲げ加工して製作することができる。シール６０の材料は、特に制限はないが、防錆性に優れることが好ましく、例えば、防錆処理が施された金属材料や防錆性に優れたステンレス鋼、または樹脂材料を用いることができ、中でもステンレス鋼を用いることが好ましい。これにより、断熱箱体１０の内部とともにシール６０も水洗いすることができ、洗浄性の向上に有利である。
【００４４】
上ハーフ１０ａと下ハーフ１０ｂとの間のシールの構成は図５Ａに限定されない。例えば、図５Ｂに示すように、水平方向に対して傾斜した２枚の傾斜板６６ａ，６６ｂで構成されたシール６５を上ハーフ１０ａと下ハーフ１０ｂとの間に設けてもよい。図５Ａに示したシール６０と異なり、図５Ｂのシール６５は、互いに独立した２枚の傾斜板６６ａ，６６ｂで構成されている。傾斜板６６ａ，６６ｂはそれぞれボルト６７ａ，６７ｂを用いて上ハーフ１０ａの下端面１１ａに固定されている。図５Ｂでは、傾斜板６６ａと傾斜板６６ｂとは互いに略平行であるが、上ハーフ１０ａから下ハーフ１０ｂに近づくにしたがって傾斜板６６ａと傾斜板６６ｂとの間の間隔が拡大または減小するように傾斜板６６ａ，６６ｂが取り付けられていてもよい。
【００４５】
図５Ｂにおいても、上ハーフ１０ａを下降させたとき、傾斜板６６ａ，６６ｂの下側の側端縁が下ハーフ１０ｂの上端面１１ｂに押し当てられ、傾斜板６６ａ，６６ｂは弾性的にわずかに曲げ変形される。このとき、シール６５と上ハーフ１０ａの下端面１１ａと下ハーフ１０ｂの上端面１１ｂとで囲まれた密閉空間６８が形成される。従って、図５Ａのシール６０と同様に、上ハーフ１０ａを下降させたときのシール６５の断熱性は良好である。
【００４６】
図５Ａのシール６０と図５Ｂのシール６５とを比較すると、図５Ａのシール６０では２枚の傾斜板６１ａ，６１ｂが一体化された一部品であるので、シールを構成する部品点数が少なく、また、シールを上ハーフ１０ａに固定するためのボルトの数も少なくすることができる。従って、シール６０の組み立ては容易である。また、シール６０の部品点数やボルト６２の数が少ないことは、シール６０の洗浄作業が容易になり、洗浄性の向上に有利である。
【００４７】
シール６０，６５を、上ハーフ１０ａの下端面１１ａではなく、下ハーフ１０ｂの上端面１１ｂに取り付けることもできる。但し、図５Ａ及び図５Ｂに示したように上ハーフ１０ａの下端面１１ａに取り付けると、洗浄時の水切れ性が良好になるので好ましい。
【００４８】
上記の実施形態は例示にすぎない。本発明は、上記の実施形態に限定されず、適宜変更することができる。
【００４９】
本発明の冷却装置１の冷却ユニット３０の構成は、上記の実施形態に限定されず、任意に変更しうる。例えば、冷却器３１の構成や、冷却ユニット３０に設けられる冷却ファン３５の数や配置は任意に設定することができる。好ましくは、冷却ユニット３０は、非貫流方式の冷却ユニットを構成する。非貫流方式を実現するための構成は当業者に公知である。
【００５０】
冷却装置１は少なくとも１つの冷却ユニット３０を備えていればよく、冷却装置１内の冷却ユニット３０の数は上記の実施形態のように３つである必要はない。コンベヤ１８の幅（移動方向１８ａに直交する方向の寸法）が大きい場合には、コンベヤ１８の幅方向に複数の冷却ユニット３０を配置してもよい。冷却ユニット３０を、コンベヤ１８の上方に配置するのではなく、コンベヤ１８の下方または側方に配置してもよい。但し、洗浄性の観点からは、上記の実施形態のように、コンベヤ１８の上方に冷却ユニット３０を配置することが好ましい。コンベヤ１８に対する冷却ユニット３０の配置に関わらず、上ハーフ１０ａを上昇させたとき、上ハーフ１０ａと下ハーフ１０ｂとの間に冷却ユニット３０が水平方向に露出するように、冷却ユニット３０が配置される。
【００５１】
断熱室２６ａ，２６ｂの構成も任意である。例えば、断熱室２６ａ，２６ｂ内に設けられる攪拌ファン３７ａ，３７ｂの数や配置も適宜変更しうる。攪拌ファン３７ａ，３７ｂによる空気の吹き出し角度や風速を調整することにより、断熱室２６ａ，２６ｂと冷却室２５とを仕切る第１隔壁２１ａ，２１ｂ及び第２隔壁２２ａ，２２ｂを省略したりまたは小さくしたりすることができる。断熱室２６ａ，２６ｂ及び攪拌ファン３７ａ，３７ｂを省略してもよい。
【００５２】
上ハーフ１０ａを昇降させるための昇降機構５０の構成も任意である。アクチュエータの駆動源は、モータである必要はなく、油圧または空気圧を用いてもよい。昇降機構５０の配置や数は、上ハーフ１０ａのサイズや重量などを考慮して適宜変更しうる。上ハーフ１０ａが小さい場合には、上方から見たとき、略矩形の上ハーフ１０ａの対角位置に昇降機構５０を各１つずつ配置すれば足りる。アクチュエータ５１と案内機構５６とは同数である必要はなく、また両者を接近して配置する必要もない。一般には、案内機構５６の数は、アクチュエータ５１と同数であるか、若しくはこれより多いことがことが好ましい。例えば、上方から見たとき、アクチュエータ５１を四隅に各１つずつ配置し、案内機構５６は四隅に加えて、その間にも配置することができる。アクチュエータに案内機構としての機能を担わせることにより、案内機構を省略してもよい。この場合、アクチュエータは、上ハーフ及び下ハーフに対して遊びを設けることなく取り付けられる。
【００５３】
上ハーフ１０ａと下ハーフ１０ｂとの間に配されるシールの形状も、上記の実施形態に限定されない。図５Ａ及び図５Ｂのシール６０，６５は、いずれも２枚の傾斜板で構成されていたが、シールを構成する傾斜板の数は、１枚であってもよく、あるいは３枚以上であってもよい。シールは、傾斜板以外のものによって構成されていてもよい。例えば、シールが、互いに対向する上ハーフ１０ａの下端面１１ａ及び下ハーフ１０ｂの上端面１１ｂに形成された互いに嵌合し合う形状、例えば凸条（リブ）と凹条（溝）で構成されていてもよい。この場合、洗浄時の水切れ性の観点からは、上ハーフ１０ａの下端面１１ａに凹条が設けられ、下ハーフ１０ｂの上端面１１ｂに凸条が設けられていることが好ましい。
【００５４】
上記の実施形態では、コンベヤ１８は、上方から見たとき直線状に配置されていたが、略「Ｌ」字状や略「Ｕ」字状など、屈曲または湾曲していてもよい。
【産業上の利用可能性】
【００５５】
本発明のトンネル式冷却装置は、洗浄性に優れた冷却装置であることから、食品を冷却または冷凍する食品製造の分野に好ましく利用することができる。但し、食品以外の被冷却物を冷却または冷凍する冷却装置として利用することもできる。
【符号の説明】
【００５６】
１  トンネル式冷却装置
１０  断熱箱体
１０ａ  上ハーフ
１０ｂ  下ハーフ
１５  搬入口
１６  搬出口
１８  コンベヤ
２１ａ，２１ｂ，２２ａ，２２  隔壁
２５  冷却室
２６ａ，２６ｂ  断熱室
３０  冷却ユニット
３１  冷却器
３５  冷却ファン
３７ａ，３７ｂ  攪拌ファン
５０  昇降機構
５１  アクチュエータ
５６  案内機構
６０，６５  シール
６１ａ，６１ｂ，６６ａ，６６ｂ  傾斜板
６３，６８  密閉空間
【図１Ａ】
2014211259.tif 000003
【図１Ｂ】
2014211259.tif 000004
【図１Ｃ】
2014211259.tif 000005
【図２】
2014211259.tif 000006
【図３】
2014211259.tif 000007
【図４】
2014211259.tif 000008
【図５Ａ】
2014211259.tif 000009
【図５Ｂ】
2014211259.tif 000010
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
被冷却物が搬入される搬入口、及び、前記被冷却物が搬出される搬出口を備えた断熱箱体と、
前記断熱箱体内において前記被冷却物を前記搬入口から前記搬出口へ搬送するコンベヤと、
前記コンベヤに対向して配された冷却器、及び、前記冷却器と前記コンベヤとの間に配された冷却ファンを備えた冷却ユニットとを備え、
前記冷却ファンが前記冷却ファンと前記冷却器との間の冷却空気を前記コンベヤに向かって送り出すトンネル式冷却装置であって、
前記断熱箱体は、下ハーフと、昇降可能な上ハーフとに二分割されており、
前記上ハーフを上昇させると、前記下ハーフと前記上ハーフとの間に、前記冷却器を構成する冷却コイル及び冷却フィンと前記冷却ファンとが水平方向に露出することを特徴とするトンネル式冷却装置。
【請求項２】
前記冷却ユニットは、前記コンベヤの側からの環流空気の少なくとも一部が、前記冷却器を通過することなく前記冷却ファンによって前記コンベヤに向かって送り出されるように構成されている請求項１に記載のトンネル式冷却装置。
【請求項３】
前記下ハーフと前記上ハーフとの間にシールを備え、
前記シールは、水平方向に対して傾斜した傾斜板を含み、
前記シールは、前記下ハーフ及び前記上ハーフのうちの一方に固定され、前記傾斜板の一方の側端縁は、前記上ハーフが下降したとき前記下ハーフ及び前記上ハーフのうちの他方に当接する請求項１又は２に記載のトンネル式冷却装置。
【請求項４】
前記シールが、互いに離間して配された複数の前記傾斜板を含み、前記上ハーフが下降したとき前記複数の傾斜板の間に密閉空間が形成される請求項３に記載のトンネル式冷却装置。
【請求項５】
前記シールが略「Ｖ」字状断面を有する請求項３又は４に記載のトンネル式冷却装置。
【請求項６】
前記断熱箱体内の前記搬入口及び前記搬出口の近傍に、前記冷却ユニットが配された冷却室と隔壁で隔てられた断熱室をそれぞれ備え、
前記断熱室内に、空気を前記コンベヤに向かって吹き付ける攪拌ファンが配されている請求項１〜５のいずれかに記載のトンネル式冷却装置。
【請求項７】
前記上ハーフを昇降させるための複数のアクチュエータと、
昇降する前記上ハーフを案内する、上下方向に延びた複数の案内機構とを備え、
前記複数のアクチュエータは互いに同期しながら前記上ハーフを昇降させる請求項１〜６のいずれかに記載のトンネル式冷却装置。
【請求項８】
前記複数のアクチュエータのそれぞれは、前記上ハーフ及び前記下ハーフのうちの少なくとも一方に対して遊びを設けて取り付けられている請求項７に記載のトンネル式冷却装置。
【請求項９】
前記断熱箱体内に、前記コンベヤの側からの環流空気が前記冷却器を通過し前記コンベヤの側に送り出されるように空気を循環させるためのダクトを備えない請求項１〜８のいずれかに記載のトンネル式冷却装置。
【手続補正２】
【補正対象書類名】明細書
【補正対象項目名】０００９
【補正方法】変更
【補正の内容】
【０００９】
本発明のトンネル式冷却装置は、被冷却物が搬入される搬入口、及び、前記被冷却物が
搬出される搬出口を備えた断熱箱体と、前記断熱箱体内において前記被冷却物を前記搬入口から前記搬出口へ搬送するコンベヤと、前記コンベヤに対向して配された冷却器、及び、前記冷却器と前記コンベヤとの間に配された冷却ファンを備えた冷却ユニットとを備える。前記冷却ファンは前記冷却ファンと前記冷却器との間の冷却空気を前記コンベヤに向かって送り出す。前記断熱箱体は、下ハーフと、昇降可能な上ハーフとに二分割されている。前記上ハーフを上昇させると、前記下ハーフと前記上ハーフとの間に、前記冷却器を構成する冷却コイル及び冷却フィンと前記冷却ファンとが水平方向に露出する。